(57)【要約】  電解コンデンサ１は、円柱状のケース１０と、ケース１０内に収容され、陽極箔６１と陰極箔６２とがロール状に巻かれたコンデンサ素子６０と、ケース１０の端部に取り付けられた陽極端子２０及び陰極端子３０と、一方の端部が陽極箔６１に接続され、他方の端部が陽極端子２０に接続された第１陽極リードタブ４１及び第２陽極リードタブ４２と、一方の端部が陰極箔６２に接続され、他方の端部が陰極端子３０に接続された第１陰極リードタブ５１及び第２陰極リードタブ５２と、を備える。ケース１０の長さは、８０ｍｍ以上１２０ｍｍ以下である。ケース１０の長さとケース１０の直径とのアスペクト比は、２．６以上６．０以下である。
2019130559.tif 000002
【特許請求の範囲】
【請求項１】
内部に収容空間を有する円柱状のケースと、
前記収容空間内に収容され、陽極箔と陰極箔とが前記陽極箔及び前記陰極箔間にセパレータを挟んでロール状に巻かれたコンデンサ素子と、
前記ケースにおける円柱状の軸方向の一方の端部に取り付けられた陽極端子及び陰極端子と、
一方の端部が前記陽極箔に接続され、他方の端部が前記陽極端子に接続された複数の陽極リードタブと、
一方の端部が前記陰極箔に接続され、他方の端部が前記陰極端子に接続された複数の陰極リードタブと、
を備え、
前記ケースにおける円柱状の軸方向の長さが、８０ｍｍ以上１２０ｍｍ以下であり、
前記ケースにおける円柱状の軸方向の長さと前記ケースの外周面の直径とのアスペクト比が、２．６以上６．０以下である、電解コンデンサ。
【請求項２】
前記陽極リードタブは２本備えられ、
２本の前記陽極リードタブのうち一方の前記陽極リードタブは、前記陽極箔の巻き始め側の端部と前記陽極箔における巻き取り方向の中央位置と間の第１部位に接続され、
２本の前記陽極リードタブのうち他方の前記陽極リードタブは、前記陽極箔の巻き終わり側の端部と前記陽極箔における巻き取り方向の前記中央位置と間の第２部位に接続される、請求項１に記載の電解コンデンサ。
【請求項３】
前記一方の陽極リードタブは、前記第１部位における前記陽極箔の巻き取り方向の中央位置に接続され、
前記他方の陽極リードタブは、前記第２部位における前記陽極箔の巻き取り方向の中央位置に接続される、請求項２に記載の電解コンデンサ。
【請求項４】
前記一方の陽極リードタブは、前記第１部位における前記陽極箔の巻き取り方向の中央位置に接続され、
前記他方の陽極リードタブは、前記第２部位のうち、前記コンデンサ素子の径方向において前記一方の陽極リードタブと少なくとも一部が重なる位置に接続される、請求項２に記載の電解コンデンサ。
【請求項５】
前記陽極リードタブは、リボン状に形成されるとともに、前記陽極箔の巻き取り方向に直交する方向に沿って延在するように配置され、
前記陽極リードタブの前記一方の端部は、前記陽極箔の一方の面に当接させられることによって前記陽極箔に接続され、
前記陽極リードタブの前記他方の端部は、前記陽極箔から突出し、
前記陽極リードタブと前記陽極箔との当接領域における前記陽極箔の巻き取り方向に直交する方向の長さは、前記陽極箔における巻き取り方向に直交する方向の幅の１／２以上である、請求項１〜４のいずれか一項に記載の電解コンデンサ。
【請求項６】
前記陽極端子は、前記陽極リードタブに接続される側に対して反対側の端部が前記ケースの径方向外側を向くように屈曲し、
前記陰極端子は、前記陰極リードタブに接続される側に対して反対側の端部が前記ケースの径方向外側を向くように屈曲している、請求項１〜５のいずれか一項に記載の電解コンデンサ。
【発明の詳細な説明】
【技術分野】
【０００１】
本発明は、電解コンデンサに関する。
【背景技術】
【０００２】
例えば特許文献１に記載されているように、円柱状の電解コンデンサがある。このような円柱状の電解コンデンサは、円柱状の軸方向が基板の素子配置面と平行となるように配置（以下「横向きに配置」という）されることがある。
【先行技術文献】
【特許文献】
【０００３】
【特許文献１】特許第６０９８７０５号公報
【発明の概要】
【発明が解決しようとする課題】
【０００４】
ここで、電解コンデンサの静電容量を大きくするためには、内部のコンデンサ素子を大きくする必要があり、コンデンサ素子を収容するケースの大きさが大きくなる。ケースが大きくなるに従い、ケースの形状によっては、電解コンデンサを横向きに配置した場合に素子配置面からの電解コンデンサの突出高さが高くなる傾向がある。また、このような電解コンデンサの分野においては、ＥＳＲ（等価直列抵抗）を低減することが求められている。【０００５】
そこで、本発明の一側面は、静電容量を確保しつつ基板の素子配置面からの突出高さを抑制した配置が可能であり、ＥＳＲの低減が可能な電解コンデンサを提供することを目的とする。
【課題を解決するための手段】
【０００６】
本発明の一側面に係る電解コンデンサは、内部に収容空間を有する円柱状のケースと、収容空間内に収容され、陽極箔と陰極箔とが陽極箔及び陰極箔間にセパレータを挟んでロール状に巻かれたコンデンサ素子と、ケースにおける円柱状の軸方向の一方の端部に取り付けられた陽極端子及び陰極端子と、一方の端部が陽極箔に接続され、他方の端部が陽極端子に接続された複数の陽極リードタブと、一方の端部が陰極箔に接続され、他方の端部が陰極端子に接続された複数の陰極リードタブと、を備え、ケースにおける円柱状の軸方向の長さが、８０ｍｍ以上１２０ｍｍ以下であり、ケースにおける円柱状の軸方向の長さとケースの外周面の直径とのアスペクト比が、２．６以上６．０以下である。【０００７】
この電解コンデンサは、ケースにおける円柱状の軸方向の長さが、８０ｍｍ以上１２０ｍｍ以下であり、ケースにおける円柱状の軸方向の長さとケースの外周面の直径とのアスペクト比が、２．６以上６．０以下となっている。このように、電解コンデンサは、ケースの長さを長くすることにより、ケースの直径が大きくなることを抑制しつつ、コンデンサ素子を収容する収容空間を大きく確保できる。すなわち、この電解コンデンサは、静電容量を確保しつつ、横向きに配置した場合に基板の素子配置面からの突出高さを抑制することができる。また、陽極箔に複数の陽極リードタブが接続され、さらに陰極箔に複数の陰極リードタブが接続されていることにより、電解コンデンサは、複数のリードタブによって電荷の受け渡しを機能的に行うことができる。これにより、電解コンデンサは、ＥＳＲを低減することができる。以上のように、電解コンデンサは、静電容量を確保しつつ基板の素子配置面からの突出高さを抑制した配置が可能であり、ＥＳＲの低減が可能となる。【０００８】
電解コンデンサにおいて、陽極リードタブは２本備えられ、２本の陽極リードタブのうち一方の陽極リードタブは、陽極箔の巻き始め側の端部と陽極箔における巻き取り方向の中央位置と間の第１部位に接続され、２本の陽極リードタブのうち他方の陽極リードタブは、陽極箔の巻き終わり側の端部と陽極箔における巻き取り方向の中央位置と間の第２部位に接続されてもよい。この場合、電解コンデンサは、２本の陽極リードタブによって陽極箔の第１部位及び第２部位からの電荷の受け渡しを機能的に行うことができる。【０００９】
電解コンデンサにおいて、一方の陽極リードタブは、第１部位における陽極箔の巻き取り方向の中央位置に接続され、他方の陽極リードタブは、第２部位における陽極箔の巻き取り方向の中央位置に接続されてもよい。この場合、電解コンデンサは、一方の陽極リードタブによって第１部位から機能的な電荷の受け渡しが可能となり、他方の陽極リードタブによって第２部位から機能的な電荷の受け渡しが可能となる。【００１０】
電解コンデンサにおいて、一方の陽極リードタブは、第１部位における陽極箔の巻き取り方向の中央位置に接続され、他方の陽極リードタブは、第２部位のうち、コンデンサ素子の径方向において一方の陽極リードタブと少なくとも一部が重なる位置に接続されてもよい。この場合、２本の陽極リードタブがコンデンサ素子の径方向において少なくとも一部が互いに重なっているため、電解コンデンサでは、２本の陽極リードタブ同士が容易に接続され得る。【００１１】
電解コンデンサにおいて、陽極リードタブは、リボン状に形成されるとともに、陽極箔の巻き取り方向に直交する方向に沿って延在するように配置され、陽極リードタブの一方の端部は、陽極箔の一方の面に当接させられることによって陽極箔に接続され、陽極リードタブの他方の端部は、陽極箔から突出し、陽極リードタブと陽極箔との当接領域における陽極箔の巻き取り方向に直交する方向の長さは、陽極箔における巻き取り方向に直交する方向の幅の１／２以上であってもよい。この場合、電解コンデンサは、陽極リードタブによって陽極箔の各部位から機能的な電荷の受け渡しが可能となる。【００１２】
電解コンデンサにおいて、陽極端子は、陽極リードタブに接続される側に対して反対側の端部がケースの径方向外側を向くように屈曲し、陰極端子は、陰極リードタブに接続される側に対して反対側の端部がケースの径方向外側を向くように屈曲している。これにより、電解コンデンサは、横向きに配置された場合に、陽極端子及び陰極端子によって基板に容易に取り付けられ得る。
【発明の効果】
【００１３】
本発明の一側面によれば、静電容量を確保しつつ基板の素子配置面からの突出高さを抑制した配置が可能であり、ＥＳＲの低減が可能となる。
【図面の簡単な説明】
【００１４】
【図１】実施形態に係る電解コンデンサを示す斜視図である。
【図２】図１の電解コンデンサが基板に取り付けられた状態を示す側面図である。
【図３】コンデンサ素子の積層構造を示す図である。
【図４】ケースの構成を示す断面図である。
【図５】陽極箔及び陰極箔を広げた状態を示す図である。
【図６】陽極リードタブと陽極端子、及び陰極リードタブと陰極端子との接続状態を示す図である。
【発明を実施するための形態】
【００１５】
以下、本発明の実施形態について図面を参照しながら説明する。なお、図面の説明において同一の要素には同一の符号を付し、重複する説明を省略する。
【００１６】
図１及び図２に示されるように、電解コンデンサ１は、円柱状のケース１０、陽極端子２０、及び陰極端子３０を備えている。電解コンデンサ１は、ケース１０における円柱状の軸Ｓ方向が基板２の素子配置面２ａと平行となるように配置（横向きに配置）される。陽極端子２０及び陰極端子３０は、基板２に設けられたパターン配線等に接続される。電解コンデンサ１は、陽極端子２０及び陰極端子３０によって基板２に取り付けられる基板自立型の電解コンデンサである。
【００１７】
電解コンデンサ１において、ケース１０の内部には、図３に示される第１陽極リードタブ（一方の陽極リードタブ）４１、第２陽極リードタブ（他方の陽極リードタブ）４２、第１陰極リードタブ５１、第２陰極リードタブ５２、及びコンデンサ素子６０が収容されている。
【００１８】
ケース１０は、図１及び図４に示されるように、円柱状を呈し、内部に収容空間Ｒを有している。なお、図４では、ケース１０の内部に収容されたコンデンサ素子６０等が省略されている。ケース１０は、本体部１１、キャップ１２、及びカバー１３を備えている。本体部１１は、円筒状に形成された円筒部１１ａ、及び円筒部１１ａの一方の開口部を覆う板部１１ｂを有している。円筒部１１ａと板部１１ｂとは一体的に形成されている。
【００１９】
キャップ１２は、円筒部１１ａの他方の開口部を覆っている。具体的には、図４に示されるように、円筒部１１ａにおける他方の開口部の近傍には、他の部位よりも径が小さい縮径部１１ｃが設けられている。キャップ１２は、円形の板部材によって構成されている。キャップ１２は、円筒部１１ａの他方の開口部内に嵌め込まれている。円筒部１１ａの端部には、円筒部１１ａの端部を内側に折り曲げることによって形成された押え部１１ｄが設けられている。キャップ１２は、縮径部１１ｃと押え部１１ｄとによって挟まれることによって、円筒部１１ａに固定されている。
【００２０】
カバー１３は、円筒部１１ａの外周面を覆っている。また、カバー１３は、円筒部１１ａからキャップ１２側に回り込み、キャップ１２の周縁部を覆っている。同様に、カバー１３は、円筒部１１ａから板部１１ｂ側に回り込み、板部１１ｂの周縁部を覆っている。
【００２１】
本実施形態では、図２に示されるように、ケース１０における円柱状の軸Ｓ方向の長さＬ（外形の長さ）は、８０ｍｍ以上１２０ｍｍ以下である。また、ケース１０における円柱状の軸Ｓ方向の長さＬとケース１０の外周面の直径Ｄとのアスペクト比は、２．６以上６．０以下である。なお、ここでのアスペクト比とは、長さＬが、直径Ｄの何倍であるかを示している。これにより、本体部１１及びキャップ１２によって、軸Ｓ方向に沿って延在する円柱状の収容空間Ｒがケース１０の内部に形成される。
【００２２】
なお、本体部１１の厚さ（肉厚）及び材料としては、必要とされる強度及び機能等に応じて、適宜の厚さ及び材料が選択される。同様に、キャップ１２の厚さ（肉厚）及び材料としては、必要とされる強度及び機能等に応じて、適宜の厚さ及び材料が選択される。本体部１１及びキャップ１２の厚さを薄くすることで、収容空間Ｒを大きくすることができる。
【００２３】
陽極端子２０及び陰極端子３０は、図１及び図４に示されるように、ケース１０における円柱状の軸Ｓ方向の一方の端部に取り付けられている。本実施形態において、陽極端子２０及び陰極端子３０は、ケース１０のキャップ１２に取り付けられている。詳細には、陰極端子３０は、陰極側貫通部３１、及び陰極側端子部３２を有している。陰極側貫通部３１は、キャップ１２を貫通し、ケース１０の収容空間Ｒとケース１０の外部とにわたって設けられている。陰極側端子部３２は、陰極側貫通部３１によってキャップ１２に固定されている。陰極側端子部３２は、陰極側貫通部３１によって固定される側（第１陰極リードタブ５１及び第２陰極リードタブ５２に接続される側）に対して反対側の端部がケース１０の径方向外側を向くように屈曲している。
【００２４】
同様に、陽極端子２０は、陽極側貫通部２１、及び陽極側端子部２２を有している。陽極側貫通部２１は、キャップ１２を貫通し、ケース１０の収容空間Ｒとケース１０の外部とにわたって設けられている。陽極側端子部２２は、陽極側貫通部２１によってキャップ１２に固定されている。陽極側端子部２２は、陽極側貫通部２１によって固定される側（第１陽極リードタブ４１及び第２陽極リードタブ４２に接続される側）に対して反対側の端部がケース１０の径方向外側を向くように屈曲している。
【００２５】
コンデンサ素子６０は、電気を蓄える機能を有する。コンデンサ素子６０は、図３に示されるように、陽極箔６１と陰極箔６２とが陽極箔６１及び陰極箔６２間にセパレータ６３及び６４を挟んでロール状に巻かれることによって形成されている。コンデンサ素子６０は、ケース１０の収容空間Ｒ内に収容される。
【００２６】
詳細には、陽極箔６１、セパレータ６３、陰極箔６２、及びセパレータ６４は、この並び順で重ねられ、ロール状に巻き取られる。陽極箔６１等は、回転するシャフトに巻き付けられることによって、ロール状に形成される。陽極箔６１及び陰極箔６２の大きさは、必要とされる電解コンデンサ１の静電容量に応じて設定される。
【００２７】
陽極箔６１及び陰極箔６２として、一例として、アルミニウム箔が用いられる。セパレータ６３及び６４として、一例として、電解紙が用いられる。コンデンサ素子６０には、電解液が浸み込んでいる。
【００２８】
第１陽極リードタブ４１及び第２陽極リードタブ４２は、図５に示されるように、リボン状に形成されるとともに、陽極箔６１の巻き取り方向に直交する方向に沿って延在するように配置される。第１陽極リードタブ４１及び第２陽極リードタブ４２は、例えば、アルミニウムの板材によって構成されている。
【００２９】
ここで、図５に示されるように、陽極箔６１の巻き取り方向の長さをＡとし、陽極箔６１の幅（巻き取り方向に直交する方向の長さ）をＷとする。陽極箔６１において、巻き取り方向の中央の位置を中央位置Ｃ１とする。陽極箔６１における巻き始め側の端部６１ａと中央位置Ｃ１との間の部位を第１部位６１ｃとし、陽極箔６１における巻き終わり側の端部６１ｂと中央位置Ｃ１との間の部位を第２部位６１ｄとする。
【００３０】
第１陽極リードタブ４１及び第２陽極リードタブ４２は、それぞれ、一方の端部が陽極箔６１に接続され、他方の端部が陽極端子２０に接続される。詳細には、第１陽極リードタブ４１の一方の端部は、第１部位６１ｃに当接させられることによって陽極箔６１に接続されている。第１陽極リードタブ４１の他方の端部は、陽極箔６１から突出している。同様に、第２陽極リードタブ４２の一方の端部は、第２部位６１ｄに当接させられることによって陽極箔６１に接続されている。第２陽極リードタブ４２の他方の端部は、陽極箔６１から突出している。
【００３１】
第１陽極リードタブ４１及び第２陽極リードタブ４２と、陽極箔６１とは、例えば、圧接等の周知の方法によって互いに接続されている。
【００３２】
第１陽極リードタブ４１は、第１部位６１ｃにおける陽極箔６１の巻き取り方向の中央位置に接続されている。第２陽極リードタブ４２は、第２部位６１ｄにおける陽極箔６１の巻き取り方向の中央位置に接続されている。すなわち、陽極箔６１の巻き取り方向において、巻き始め側の端部６１ａと第１陽極リードタブ４１との間隔がＡ／４となり、巻き終わり側の端部６１ｂと第２陽極リードタブ４２との間隔がＡ／４となる。
【００３３】
また、図５に示されるように、第１陽極リードタブ４１と陽極箔６１とが当接する領域を当接領域Ｅ４１とする。なお、図５では、当接領域Ｅ４１にハッチングが付されている。図５では、後述する当接領域Ｅ４２、Ｅ５１及びＥ５２も同様に、ハッチングが付されている。当接領域Ｅ４１において、陽極箔６１の巻き取り方向に直交する方向の長さＷ４１は、陽極箔６１の幅Ｗの１／２以上となっている。同様に、第２陽極リードタブ４２と陽極箔６１とが当接する領域を当接領域Ｅ４２とする。当接領域Ｅ４２において、陽極箔６１の巻き取り方向に直交する方向の長さＷ４２は、陽極箔６１の幅Ｗの１／２以上となっている。
【００３４】
第１陰極リードタブ５１及び第２陰極リードタブ５２は、図５に示されるように、リボン状に形成されるとともに、陰極箔６２の巻き取り方向に直交する方向に沿って延在するように配置される。第１陰極リードタブ５１及び第２陰極リードタブ５２は、例えば、アルミニウムの板材によって構成されている。
【００３５】
ここで、図５に示されるように、陰極箔６２の巻き取り方向の長さをＡ＋Ｂとし、陰極箔６２の幅（巻き取り方向に直交する方向の長さ）をＷとする。すなわち、陰極箔６２は、陽極箔６１よりも長さＢだけ長い。陰極箔６２において、巻き取り方向の中央の位置を中央位置Ｃ２とする。陰極箔６２における巻き始め側の端部６２ａと中央位置Ｃ２との間の部位を第１部位６２ｃとし、陰極箔６２における巻き終わり側の端部６２ｂと中央位置Ｃ２との間の部位を第２部位６２ｄとする。
【００３６】
第１陰極リードタブ５１及び第２陰極リードタブ５２は、それぞれ、一方の端部が陰極箔６２に接続され、他方の端部が陰極端子３０に接続される。詳細には、第１陰極リードタブ５１の一方の端部は、第１部位６２ｃに当接させられることによって陰極箔６２に接続されている。第１陰極リードタブ５１の他方の端部は、陰極箔６２から突出している。同様に、第２陰極リードタブ５２の一方の端部は、第２部位６２ｄに当接させられることによって陰極箔６２に接続されている。第２陰極リードタブ５２の他方の端部は、陰極箔６２から突出している。
【００３７】
第１陰極リードタブ５１及び第２陰極リードタブ５２と、陰極箔６２とは、例えば、圧接等の周知の方法によって互いに接続されている。
【００３８】
第１陰極リードタブ５１は、陰極箔６２の巻き取り方向において、巻き始め側の端部６２ａと第１陰極リードタブ５１との間隔がＡ／４となるように配置されている。第２陰極リードタブ５２は、陰極箔６２の巻き取り方向において、第１陰極リードタブ５１と第２陰極リードタブ５２との間隔がＡ／２となるように配置されている。
【００３９】
また、図５に示されるように、第１陰極リードタブ５１と陰極箔６２とが当接する領域を当接領域Ｅ５１とする。当接領域Ｅ５１において、陰極箔６２の巻き取り方向に直交する方向の長さＷ５１は、陰極箔６２の幅Ｗの１／２以上となっている。同様に、第２陰極リードタブ５２と陰極箔６２とが当接する領域を当接領域Ｅ５２とする。当接領域Ｅ５２において、陰極箔６２の巻き取り方向に直交する方向の長さＷ５２は、陰極箔６２の幅Ｗの１／２以上となっている。
【００４０】
陽極箔６１及び陰極箔６２等を巻き取る際に、陰極箔６２が長さＢだけ先に巻き取られた後、陽極箔６１の巻き取りが開始される。このため、陰極箔６２は、陽極箔６１よりも長さＢだけ長くなっている。この長さＢは、陽極箔６１及び陰極箔６２等が巻き取られたときに、図３に示されるように、第１陽極リードタブ４１の位置と第１陰極リードタブ５１の位置とがコンデンサ素子６０の径方向において互いに重なることがないように設定されている。
【００４１】
陽極箔６１が巻き取られたときに、第１陽極リードタブ４１と第２陽極リードタブ４２とは、コンデンサ素子６０の径方向において互いに少なくとも一部が重なっている。同様に、陰極箔６２が巻き取られたときに、第１陰極リードタブ５１と第２陰極リードタブ５２とが、コンデンサ素子６０の径方向において互いに少なくとも一部が重なっている。
【００４２】
なお、陽極箔６１が巻き取られたときに、第１陽極リードタブ４１と第２陽極リードタブ４２とが、コンデンサ素子６０の径方向において互いに重ならない場合がある。この場合、コンデンサ素子６０の径方向において第１陽極リードタブ４１と第２陽極リードタブ４２とが互いに少なくとも一部が重なるように、第２部位６１ｄに対する第２陽極リードタブ４２の接続位置が設定されている。同様に、コンデンサ素子６０の径方向において第１陰極リードタブ５１と第２陰極リードタブ５２とが互いに少なくとも一部が重なるように、第２部位６２ｄに対する第２陰極リードタブ５２の接続位置が設定されている。
【００４３】
なお、第１陽極リードタブ４１、第２陽極リードタブ４２、第１陰極リードタブ５１、及び第２陰極リードタブ５２は、陽極箔６１等がロール状に巻き取られたときに、ロール状の周方向に沿って湾曲する（図３参照）。
【００４４】
図３に示されるように、第１陽極リードタブ４１におけるコンデンサ素子６０から突出した部位と、第２陽極リードタブ４２におけるコンデンサ素子６０から突出した部位とは、コンデンサ素子６０の径方向において互いに当接されている。そして、図６に示されるように、第１陽極リードタブ４１及び第２陽極リードタブ４２におけるコンデンサ素子６０から突出した先端部は、陽極端子２０の陽極側貫通部２１に接続されている。なお、第１陽極リードタブ４１等と陽極側貫通部２１とは、互いに直接接続されていてもよく、リード線等を介して接続されていてもよい。
【００４５】
同様に、図３に示されるように、第１陰極リードタブ５１におけるコンデンサ素子６０から突出した部位と、第２陰極リードタブ５２におけるコンデンサ素子６０から突出した部位とは、コンデンサ素子６０の径方向において互いに当接されている。そして、図６に示されるように、第１陰極リードタブ５１及び第２陰極リードタブ５２におけるコンデンサ素子６０から突出した先端部は、陰極端子３０の陰極側貫通部３１に接続されている。第１陰極リードタブ５１等と陰極側貫通部３１とは、互いに直接接続されていてもよく、リード線等を介して接続されていてもよい。
【００４６】
以上のように、本実施形態の電解コンデンサ１は、ケース１０の長さＬが、８０ｍｍ以上１２０ｍｍ以下であり、ケース１０の長さＬとケース１０の直径Ｄとのアスペクト比が、２．６以上６．０以下となっている。このように、電解コンデンサ１は、ケース１０の長さＬを長くすることにより、ケース１０の直径Ｄが大きくなることを抑制しつつ、コンデンサ素子６０を収容する収容空間Ｒを大きく確保できる。すなわち、この電解コンデンサ１は、静電容量を確保しつつ、横向きに配置した場合に基板２の素子配置面２ａからの突出高さを抑制することができる。また、陽極箔６１に第１陽極リードタブ４１及び第２陽極リードタブ４２が接続され、さらに陰極箔６２に第１陰極リードタブ５１及び第２陰極リードタブ５２が接続されている。これにより、電解コンデンサ１は、陽極箔６１及び陰極箔６２にそれぞれ１本ずつリードタブが接続されている場合に比べて、複数のリードタブによって電荷の受け渡しを機能的に行うことが可能となり、ＥＳＲを低減することができる。以上のように、電解コンデンサ１は、静電容量を確保しつつ基板２の素子配置面２ａからの突出高さを抑制した配置が可能であり、ＥＳＲの低減が可能となる。
【００４７】
第１陽極リードタブ４１は、陽極箔６１の第１部位６１ｃに接続され、第２陽極リードタブ４２は、陽極箔６１の第２部位６１ｄに接続されている。この場合、電解コンデンサ１は、第１陽極リードタブ４１及び第２陽極リードタブ４２によって陽極箔６１の第１部位６１ｃ及び第２部位６１ｄからの電荷の受け渡しを機能的に行うことができる。
【００４８】
第１陰極リードタブ５１は、陰極箔６２の第１部位６２ｃに接続され、第２陰極リードタブ５２は、陰極箔６２の第２部位６２ｄに接続されている。この場合、電解コンデンサ１は、第１陰極リードタブ５１及び第２陰極リードタブ５２によって陰極箔６２の第１部位６２ｃ及び第２部位６２ｄからの電荷の受け渡しを機能的に行うことができる。
【００４９】
第１陽極リードタブ４１は、第１部位６１ｃにおける陽極箔６１の巻き取り方向の中央位置に接続されている。第２陽極リードタブ４２は、第２部位６１ｄにおける陽極箔６１の巻き取り方向の中央位置に接続されている。この場合、電解コンデンサ１は、第１陽極リードタブ４１によって第１部位６１ｃから機能的な電荷の受け渡しが可能となり、第１陽極リードタブ４１によって第２部位６１ｄから機能的な電荷の受け渡しが可能となる。
【００５０】
陽極箔６１が巻き取られたときに、第１陽極リードタブ４１と第２陽極リードタブ４２とが、コンデンサ素子６０の径方向において互いに少なくとも一部が重なっている。同様に、第１陰極リードタブ５１と第２陰極リードタブ５２とが、コンデンサ素子６０の径方向において互いに少なくとも一部が重なっている。この場合、電解コンデンサ１では、第１陽極リードタブ４１と第２陽極リードタブ４２とを容易に接続できる。同要に、電解コンデンサ１では、第１陰極リードタブ５１と第２陰極リードタブ５２とを容易に接続できる。
【００５１】
第１陽極リードタブ４１と陽極箔６１との当接領域Ｅ４１において、巻き取り方向に直交する方向の長さＷ４１は、陽極箔６１の幅Ｗの１／２以上となっている。第２陽極リードタブ４２側についても同様に、当接領域Ｅ４２の長さＷ４２は、陽極箔６１の幅Ｗの１／２以上となっている。ここで、本実施形態の電解コンデンサ１では、ケース１０の長さＬが長くなっている。すなわち、陽極箔６１等の幅Ｗも長くなる。従って、第１陽極リードタブ４１及び第２陽極リードタブ４２と陽極箔６１とを上記のように接続することで、電解コンデンサ１は、第１陽極リードタブ４１及び第２陽極リードタブ４２によって陽極箔６１の各部位から機能的な電荷の受け渡しとが可能となる。
【００５２】
第１陰極リードタブ５１と陰極箔６２との当接領域Ｅ５１において、巻き取り方向に直交する方向の長さＷ５１は、陰極箔６２の幅Ｗの１／２以上となっている。第２陰極リードタブ５２側についても同様に、当接領域Ｅ５２の長さＷ５２は、陰極箔６２の幅Ｗの１／２以上となっている。これにより、電解コンデンサ１は、第１陰極リードタブ５１及び第２陰極リードタブ５２によって陰極箔６２の各部位から機能的な電荷の受け渡しが可能となる。
【００５３】
陽極端子２０及び陰極端子３０の先端部は、ケース１０の径方向外側を向くように屈曲している。これにより、電解コンデンサ１は、横向きに配置された場合に、陽極端子２０及び陰極端子３０によって基板２に容易に取り付けられ得る。
【００５４】
以上、本発明の実施形態について説明したが、本発明は、上記実施形態に限定されるものではない。例えば、第１陽極リードタブ４１は、陽極箔６１の第１部位６１ｃに接続されていなくてもよく、第１部位６１ｃの中央位置に接続されていなくてもよい。第２陽極リードタブ４２は、陽極箔６１の第２部位６１ｄに接続されていなくてもよく、第２部位６１ｄの中央位置に接続されていなくてもよい。第１陰極リードタブ５１は、陰極箔６２の第１部位６２ｃに接続されていなくてもよく、巻き始め側の端部６２ａからＡ／４の位置に接続されていなくてもよい。第２陰極リードタブ５２は、陰極箔６２の第２部位６２ｄに接続されていなくてもよく、第１陰極リードタブ５１からＡ／２の位置に接続されていなくてもよい。
【００５５】
第１陽極リードタブ４１及び第２陽極リードタブ４２は、それぞれリボン状に形成されていなくてもよい。第１陰極リードタブ５１及び第２陰極リードタブ５２は、それぞれリボン状に形成されていなくてもよい。当接領域Ｅ４１の長さＷ４１が陽極箔６１の幅Ｗの１／２以上となるように第１陽極リードタブ４１を陽極箔６１に接続したが、この構成でなくてもよい。同様に、当接領域Ｅ４２の長さＷ４２が、陽極箔６１の幅Ｗの１／２以上でなくてもよい。当接領域Ｅ５１の長さＷ５１が、陰極箔６２の幅Ｗの１／２以上でなくてもよい。当接領域Ｅ５２の長さＷ５２が、陰極箔６２の幅Ｗの１／２以上でなくてもよい。
【００５６】
陽極端子２０及び陰極端子３０の先端部は、ケース１０の径方向外側を向いていなくてもよい。電解コンデンサ１は、３本以上の陽極リードタブを備えていてもよく、３本以上の陰極リードタブを備えていてもよい。陽極箔６１及び陰極箔６２を巻き取る際に、陰極箔６２を先に巻き取ったが、この構成に限定されない。
【産業上の利用可能性】
【００５７】
電解コンデンサは、静電容量を確保しつつ基板の素子配置面からの突出高さを抑制した配置が可能であり、ＥＳＲの低減が可能となる。
【符号の説明】
【００５８】
１…電解コンデンサ、２０…陽極端子、３０…陰極端子、４１…第１陽極リードタブ（陽極リードタブ）、４２…第２陽極リードタブ（陽極リードタブ）、５１…第１陰極リードタブ（陰極リードタブ）、５２…第２陰極リードタブ（陰極リードタブ）、６０…コンデンサ素子、６１…陽極箔、６２…陰極箔、６３，６４…セパレータ、Ｅ４１，Ｅ４２，Ｅ５１，Ｅ５２…当接領域、Ｒ…収容空間。
【図１】
2019130559.tif 000003
【図２】
2019130559.tif 000004
【図３】
2019130559.tif 000005
【図４】
2019130559.tif 000006
【図５】
2019130559.tif 000007
【図６】
2019130559.tif 000008
【国際調査報告】
2019130559.tif 000009
2019130559.tif 000010
2019130559.tif 000011